(57)【要約】【課題】映画等の映像情報を再生し、映像に伴う音声を無線により離れた場所にあるスピーカ等に送信して出力させる際に、表示させる映像と出力させる音声とを容易に同期させる。【解決手段】定められた一定の周期時間ｔＡ内に、記録媒体から２倍速で２回の映像音響情報の読み出しを行い、１回目の読み出しで得られた映像音響情報から音声データを抽出すると共にその音声データの送信を開始し、２回目の読み出しで得られた映像音響情報から映像情報を抽出すると共にその映像情報の表示を開始する。前記一定の周期時間ｔＡは、音声データの送信からスピーカに出力されるまでの伝送遅延時間の２倍に設定される。【選択図】      図１
2004201022.tif 000002
【特許請求の範囲】
【請求項１】
記録媒体に記録されている映像音響情報を読み出し、映像情報を表示すると共に、離れた場所にあるスピーカ等に無線により音響情報を音声データとして送信して出力させる際の音声データの伝送方法において、定められた一定の周期時間内に、前記記録媒体から２倍速で２回の映像音響情報の読み出しを行い、１回目の読み出しで得られた映像音響情報から音声データを抽出すると共にその音声データの送信を開始し、２回目の読み出しで得られた映像音響情報から映像情報を抽出すると共にその映像情報の表示を開始することを特徴とする音声データの伝送方法。
【請求項２】
前記定められた一定の周期時間は、音声データの送信から前記スピーカに出力されるまでの伝送遅延時間の２倍に設定されることを特徴とする請求項１記載の音声データの伝送方法。
【請求項３】
前記音声データの伝送が、ブルートゥースまたは無線ＬＡＮを用いて行われることを特徴とする請求項１または２記載の音声データの伝送方法。
【発明の詳細な説明】
【０００１】
【発明の属する技術分野】
本発明は、音声データの伝送方法に係り、特に、記録媒体に記録されている映画等の映像情報を再生し、映像に伴う音声をブルートゥース(Bluetooth）、無線ＬＡＮ等の無線により離れた場所にあるスピーカ等に送信して出力させる際に、表示させる映像と出力させる音声とを容易に同期させることができる音声データの伝送方法に関する。
【０００２】
【従来の技術】
近年、家庭内機器相互間で、無線通信により情報の送受信を行うことを可能にして、機器のワイヤレス制御等を行うことができるようになってきている。その例として、映像を再生、表示するＤＶＤプレーヤ、ＰＣ等の機器と、その音声を出力するスピーカとの相互間を無線により接続し、機器からの音声信号をスピーカに無線により送信して出力させるような映像音響システムが各種提案されている。
【０００３】
図２は従来技術による映像音響システムの構成例を示すブロック図、図３は従来技術でのＤＶＤデータの読み出しと音声データの伝送について説明する図である。図２において、２１はＰＣ、２２は画像表示部、２３はＤＶＤ再生装置、２４はスピーカである。
【０００４】
図２に示す従来技術による映像音響システムは、映画等の映像情報をＤＶＤから再生するＤＶＤ再生装置２４、画像表示部２２及び図示しないブルートゥースモジュールを備えるＰＣ２１と、図示しなしブルートゥースモジュールを備えたスピーカ２４とにより構成されている。
【０００５】
このような映像音響システムにおいて、ＰＣ２１は、ＤＶＤ再生装置２４で再生される映像及び音響信号のうち映像信号を画像表示部２２に出力して表示すると共に、音響信号をブルートゥースモジュールを介して音声データとしてスピーカ２４に送信する。スピーカ２４は、スピーカが持つブルートゥースモジュールにより送信されてきた音声データを再生して音響信号として出力する。
【０００６】
よく知られているように、ＤＶＤ再生装置２４は、映像及び音響信号の再生に際して、図３に示すように、映像情報としての画像Ａとそれに伴う音響信号としての音楽Ａとを同時に読み出している。そして、ＰＣ２１は、読み出された映像情報を表示すると共に、ブルートゥースモジュールを介して音声データとしてスピーカ２４に送信する。この結果、図３に示すように、音声データは、ブルートゥースモジュールを介する信号の伝送遅延を受けることになり、表示されている画像Ａと出力される音楽Ａとの間の同期がとれないことになる。
【０００７】
従って、前述したような映像音響システムは、表示される映像と出力される音声との同期を図ることが必要となる。
【０００８】
前述したような映像音響システムにおいて、表示される映像と出力される音声との同期に関する従来技術として、例えば、特許文献１、特許文献２等に記載された技術が知られている。
【０００９】
【特許文献１】
特開２００１−１２８１７１号公報
【００１０】
【特許文献２】
特開２００１−３０９３０１号公報
【００１１】
【発明が解決しようとする課題】
前述で説明した従来技術による映像音響システムは、表示される映像と出力される音声との間で同期ずれを生じるという問題点を有している。前述の従来技術における音声データの遅延は、ＰＣ側で音声データをエンコードする際の処理時間、ＰＣ側から送信を行う際のバッファリングの時間、スピーカ側で受信した際のバッファリング、スピーカ側で音声データをデコードする際の処理時間の積み重ねにより生じるものであり、通常、２００ｍｓ程度である。
【００１２】
また、特許文献１、２に記載されたものは、表示される映像と出力される音声との間の同期を図ることができるものであるが、そのための手段が複雑でありハードウェアの増大を招き、高コストとなってしまうものである。
【００１３】
本発明の目的は、前述した従来技術の問題点を解決し、簡単な方法で低コストで、映画等の映像情報を再生し、映像に伴う音声をブルートゥース(Bluetooth）、無線ＬＡＮ等の無線により離れた場所にあるスピーカ等に送信して出力させる際に、表示させる映像と出力させる音声とを容易に同期させることができる音声データの伝送方法を提供することにある。
【００１４】
【課題を解決するための手段】
本発明によれば前記目的は、記録媒体に記録されている映像音響情報を読み出し、映像情報を表示すると共に、離れた場所にあるスピーカ等に無線により音響情報を音声データとして送信して出力させる際の音声データの伝送方法において、定められた一定の周期時間内に、前記記録媒体から２倍速で２回の映像音響情報の読み出しを行い、１回目の読み出しで得られた映像音響情報から音声データを抽出すると共にその音声データの送信を開始し、２回目の読み出しで得られた映像音響情報から映像情報を抽出すると共にその映像情報の表示を開始することにより達成される。
【００１５】
また、前記目的は、前記定められた一定の周期時間を、音声データの送信から前記スピーカに出力されるまでの伝送遅延時間の２倍に設定されることにより、また、前記音声データの伝送が、ブルートゥースまたは無線ＬＡＮを用いて行われることにより達成される。
【００１６】
本発明は、前述した手段を備えることにより、映画等の映像情報を再生し、映像に伴う音声をブルートゥース、無線ＬＡＮ等の無線により離れた場所にあるスピーカ等に送信して出力させる際に、表示させる映像と出力させる音声とを容易に同期させることができる。
【００１７】
【発明の実施の形態】
以下、本発明による音声データの伝送方法の実施形態を図面により詳細に説明する。
【００１８】
図１は本発明の一実施形態による音声データの伝送方法を説明する図である。
【００１９】
本発明が適用される映像音響システムは、図２により説明したと同様の構成を備えるものであってよい。そして、本発明の実施形態は、ＤＶＤ再生装置２３が、少なくとも通常の２倍の速度でＤＶＤから映像音響信号の読み出しを行うことが可能である必要がある。
【００２０】
すなわち、いま、図１に示すように、ＤＶＤから映像音響信号の時間ｔＡ分の読み出しを行うことを考える。このとき、本発明の実施形態においては、通常の２倍の速度でＤＶＤから映像音響信号の読み出しを行い、その後に直ちに、もう１度、同じ部分の映像音響信号の読み出しを通常の２倍の速度で行う。この結果、１回目のＤＶＤの読み出しで、時間ｔＡ分の画像Ａと音楽Ａとの情報が時間ｔＡ／２の間に読み出されることになる。ＰＣ２１は、ここで得られた１回目の読み出し時の音楽Ａの情報をブルートゥースモジュールを介して音声データとしてスピーカ２４に送信する。このとき、ＰＣ２１は、得られた画像Ａの画像表示部２２への表示を行わない。
【００２１】
スピーカ２４は、ブルートゥースモジュールを介して音声データを受信すると、音声データのバッファリングを行い、デコード処理を行って音響情報として音楽Ａをスピーカから出力する。この場合の音響出力は、時間ｔＡ分の音楽Ａであるので、全体を時間ｔＡを使用して行われる。
【００２２】
また、前述した２回目のＤＶＤの読み出しで、時間ｔＡ分の画像Ａと音楽Ａとの情報が、１回目の読み出しの時間ｔＡ／２に続く時間ｔＡ／２の間に読み出されることになる。ＰＣ２１は、ここで得られた２回目の読み出し時の画像Ａを画像表示部２２に表示する。この場合の表示は、時間ｔＡ分の画像Ａであるので、全体を時間ｔＡを使用して行われる。
【００２３】
従来技術で説明したように、ＰＣ２１から送られる音声データは、ＰＣ２１での送信処理の開始からスピーカ２４での音響出力の開始までに、伝送遅延時間として凡そ２００ｍｓの遅延を受けることになる。
【００２４】
前述で説明した本発明の実施形態の例は、時間ｔＡを１周期として、２倍速でＤＶＤからの映像音響信号の読み出しを２回行っている。そして、本発明の実施形態は、時間ｔＡ／２の間に読み出された時間ｔＡ分の画像Ａと音楽Ａとの情報のそれぞれをバッファリングすることができるバッファメモリを設け、１周期の時間の１／２経過後、すなわち、その周期の開始後、時間ｔＡ／２の経過後に音楽Ａのデータの送信を開始し、周期の終わりから画像Ａの表示を開始することとし、さらに、時間ｔＡ／２を音声データの伝送遅延時間である前述の２００ｍｓに設定することとする。このため、ＤＶＤからの映像音響信号の読み出しを２倍速で２回行う１周期の時間は、スピーカ２４での音響出力の開始までに要する伝送遅延時間の２倍である凡そ４００ｍｓとされる。
【００２５】
前述したように、時間ｔＡ／２を音声データの伝送遅延に相当する２００ｍｓに設定することにより、スピーカ２４において音楽Ａの音響出力が開始されるときに、ＰＣ２１の画像表示部２２に画像Ａの表示が開始されることになり、音楽Ａの音響出力と画像Ａの表示とを同期させることができる。
【００２６】
前述した本発明の実施形態は、説明を判り易くするために、時間ｔＡ／２の間に読み出された時間ｔＡ分の画像Ａと音楽Ａとの情報のそれぞれをバッファリングすることができるバッファメモリを設け、１周期の時間の１／２経過後、すなわち、その周期の開始後、時間ｔＡ／２の経過後に音楽Ａのデータの送信を開始し、周期の終わりから画像Ａの表示を開始するとして説明したが、実際には、ＰＣ２１は、１回目のＤＶＤの読み出し時に抽出した音楽Ａの情報を、１回目の読み出しの開始と同時に、ブルートゥースモジュールを介して音声データとしてスピーカ２４に送信する処理を音声データをバッファリングすることなく開始し、２回目のＤＶＤの読み出し時に抽出した画像Ａの情報の表示の処理を、２回目の読み出しの開始と同時に開始する。
【００２７】
前述のような処理により、画像Ａと音楽Ａとの情報のそれぞれをバッファリングするバッファの容量を、２倍速で読み出されたデータを通常の速度で出力するために必要な最低限の大きさとすることができる。
【００２８】
前述した本発明の実施形態は、ＰＣを使用してＤＶＤに記録されている映像音響情報を読み出して、離れた位置にあるスピーカにブルートゥースモジュールを介して音声データを送信するとして説明したが、本発明は、ブルートゥースモジュール、無線ＬＡＮモジュールを備え、記録媒体に記録されている映像音響情報を２倍速以上で読み出し可能な機器をＰＣの代わりとして使用するような場合にも適用することができる。
【００２９】
また、前述した本発明の実施形態は、音楽等の音声データを音響出力するスピーカを１台だけ備えるとして説明したが、本発明は、複数台のスピーカを備えるシステム、例えば、ホームシアター等に適用することもできる。
【００３０】
また、前述した本発明の実施形態は、音楽等の音声データを離れた位置にあるスピーカに無線により送信するとして説明したが、本発明は、逆に、画像等の映像データを離れた位置にあるディスプレイに無線により送信するような場合にも適用することができる。
【００３１】
【発明の効果】
以上説明したように本発明によれば、映画等の映像情報を再生し、映像に伴う音声をブルートゥース、無線ＬＡＮ等の無線により離れた場所にあるスピーカ等に送信して出力させる際に、表示させる映像と出力させる音声とを容易に同期させることができる。
【図面の簡単な説明】
【図１】本発明の一実施形態による音声データの伝送方法を説明する図である。
【図２】従来技術による映像音響システムの構成例を示すブロック図である。
【図３】従来技術でのＤＶＤデータの読み出しと音声データの伝送について説明する図である。
【符号の説明】
２１  ＰＣ
２２  画像表示部
２３  ＤＶＤ再生装置
２４  スピーカ
【図１】
2004201022.tif 000003
【図２】
2004201022.tif 000004
【図３】
2004201022.tif 000005